(57)【特許請求の範囲】
【請求項１】
建物躯体の開口部に取付けられた既存の金属サッシ枠と、
金属の室外側部材と金属の室内側部材を断熱材で連結した断熱形材の室外側窓部材を枠組みした室内側部と室外側部とに熱が伝わり難い室外側窓部と、この室外側窓部の室内側部に設けた室内側カバー部を有し、かつ前記建物躯体の開口部に既存の金属サッシ枠を基準として取付けられた新設の断熱サッシ枠を備え、
前記断熱サッシ枠の室外側窓部が前記既存の金属サッシ枠よりも室外寄りで、
前記既存の金属サッシ枠が前記断熱サッシ枠の室内側カバー部で覆われ、
前記既存の金属サッシ枠は、室内外側方向中間部に、穴を長手方向に間隔を置いて複数形成、又は長手方向全長に連続して形成することで室内側部と室外側部とに熱が伝わり難く加工されていることを特徴とする断熱改装持ち出しサッシ窓。
【請求項２】
穴を断熱材で閉塞した請求項１記載の断熱改装持ち出しサッシ窓。
【請求項３】
既存の金属サッシ枠の穴よりも室内寄りの室内側部と穴よりも室外寄りの室外側部とに、金属の室内側部材と金属の室外側部材を断熱材で連結した断熱形材の下地材の室内側部材と室外側部材をそれぞれ設けた請求項１又は２記載の断熱改装持ち出しサッシ窓。
【請求項４】
断熱サッシ枠は上枠、下枠、左右の縦枠を枠組みしたもので、その下枠における室外側窓部材を、下の下地材の室外側部材に断熱材を介して載置した請求項３記載の断熱改装持ち出しサッシ窓。
【発明の詳細な説明】
【０００１】
【発明の属する技術分野】
本発明は、建物躯体の開口部に取付けてある金属サッシ窓を、持ち出しタイプの断熱サッシ窓に改装した断熱改装持ち出しサッシ窓に関する。
【０００２】
【従来の技術】
サッシ枠に障子戸を開閉自在に装着したサッシ窓は、長い年月が経過することで老朽化し、見栄えが悪くなるとともに、開閉操作がやりづらくなったり等の不具合が発生する。
このために、既存のサッシ窓を新設のサッシ窓に改装した改装サッシ窓が種々提案されている。
【０００３】
例えば、既存のサッシ枠から障子戸を取り外してサッシ枠を建物躯体の開口部に残存させる。
この残存した既存のサッシ枠を基準として新設のサッシ枠を、その新設のサッシ枠が既存のサッシ枠よりも室外側に突出して取付け、その新設のサッシ枠に障子戸を装着した持ち出しタイプの改装サッシ窓が提案されている。
【０００４】
【発明が解決しようとする課題】
集合住宅などに取付けてあるサッシ窓は、スチール・アルミ等の金属サッシ枠に障子戸を装着した金属サッシ窓が多い。
この金属サッシ窓は、サッシ枠の室外側部と室内側部とに熱が伝わり易いから、室外の冷気が金属サッシ枠の室内側部に伝わり、その金属サッシ枠の室内側部に結露が生じる。
【０００５】
このことを解消するために、室内側部材と室外側部材を断熱材で連結した断熱形材を枠組みした断熱サッシ枠に障子戸を装着した断熱サッシ窓が提案されている。
この断熱サッシ窓であれば、断熱サッシ枠の室内側部と室外側部とに熱が伝わり難いので、室外の冷気がサッシ枠の室内側部に伝わり難く、その室内側部に結露が生じることがない。
【０００６】
前述のことから、集合住宅などに取付けてある既存の金属サッシ窓を断熱改装持ち出しサッシ窓に改装することが考えられる。
しかしながら、前述した従来の改装持ち出しサッシ窓は金属サッシ枠を基準として新設のサッシ枠を取付けるので、残存した既存の金属サッシ枠を通して新設の断熱サッシ枠の室内側部に室内の冷気が伝わり、断熱サッシ枠の室内側部に結露が生じ、サッシ枠の室内側部に結露が生じないという断熱サッシ窓の利点が損なわれてしまう。
【０００７】
本発明は、前述の課題を解決するためになされたものであって、その目的は、室外の冷気が既存の金属サッシを通して断熱サッシ枠の室内側部に伝わり難く、新設の断熱サッシ枠の室内側部に結露が生じることがない断熱改装持ち出しサッシ窓を提供することである。
【０００８】
【課題を解決するための手段】
第１の発明は、建物躯体の開口部に取付けられた既存の金属サッシ枠と、
金属の室外側部材と金属の室内側部材を断熱材で連結した断熱形材の室外側窓部材を枠組みした室内側部と室外側部とに熱が伝わり難い室外側窓部と、この室外側窓部の室内側部に設けた室内側カバー部を有し、かつ前記建物躯体の開口部に既存の金属サッシ枠を基準として取付けられた新設の断熱サッシ枠を備え、
前記断熱サッシ枠の室外側窓部が前記既存の金属サッシ枠よりも室外寄りで、
前記既存の金属サッシ枠が前記断熱サッシ枠の室内側カバー部で覆われ、
前記既存の金属サッシ枠は、室内外側方向中間部に、穴を長手方向に間隔を置いて複数形成、又は長手方向全長に連続して形成することで室内側部と室外側部とに熱が伝わり難く加工されていることを特徴とする断熱改装持ち出しサッシ窓である。
【０００９】
第２の発明は、第１の発明における穴を断熱材で閉塞した断熱改装持ち出しサッシ窓である。
【００１０】
第３の発明は、第１又は第２の発明における既存の金属サッシ枠の穴よりも室内寄りの室内側部と穴よりも室外寄りの室外側部とに、金属の室内側部材と金属の室外側部材を断熱材で連結した断熱形材の下地材の室内側部材と室外側部材をそれぞれ設けた断熱改装持ち出しサッシ窓である。
【００１１】
第４の発明は、第３の発明において断熱サッシ枠は上枠、下枠、左右の縦枠を枠組みしたもので、その下枠における室外側窓部材を、下の下地材の室外側部材に断熱材を介して載置した請求項３記載の断熱改装持ち出しサッシ窓である。
【００１２】
【作  用】
第１の発明によれば、既存の金属サッシ枠を基準として断熱サッシ枠を取付けることで、断熱改装持ち出し窓とすることができる。
また、既存の金属サッシ枠を通して室外の冷気が断熱サッシ枠の室内側部分（室内側カバー部材）に伝わり難く、その断熱サッシ枠の室内側部分に結露が生じない。
【００１３】
また、穴加工することで既存の金属サッシ枠を、その室内側部と室外側部とに熱が伝わり難くできる。
【００１４】
第２の発明によれば、既存の金属サッシ枠の穴加工による強度低下を補償できる。
【００１５】
第３の発明によれば、既存の金属サッシ枠を下地材で補強しているから、新設の断熱サッシ枠が強固に取付けできる。
【００１６】
【発明の実施の形態】
図１と図２は金属サッシ窓、例えば金属引き違い窓の縦断面図、横断面図であり、建物躯体１、例えばコンクリート又はＰＣ板の開口部２に金属引き違い窓の金属サッシ枠３が取付けてある。
この金属サッシ枠３は上枠４、下枠５、縦枠６を枠組みしたもので、その各枠に連結したブラケット７を建物躯体１に埋設したアンカー８に溶接して金属サッシ枠３を取付けている。
前記金属サッシ枠３に、内障子９と外障子１０が引き違いに装着されて金属引き違い窓を形成している。
前記内障子９、外障子１０は図１と図２では概略的に図示してある。
【００１７】
前記上枠４、下枠５、縦枠６は室内外側方向に向う枠本体と複数の内向片と障子保持部材を備え、アルミ押出形材、スチール等の金属である。前記障子保持部材は障子を閉じ状態でサッシ枠内に保持する部材である。
例えば、前記上枠４は室内外側方向に向う枠本体４ａと、この枠本体４ａに一体的に設けた室内側内向片４ｂ、内障子９を保持する部材、つまり内障子上レール４ｃ、外障子１０を保持する部材、つまり外障子上レール４ｄ、室外側内向片４ｅを備えたアルミ押出形材である。
前記下枠５は室内外側方向に向う枠本体５ａと、この枠本体５ａに一体的に設けた室内側内向片５ｂ、内障子９を保持する部材、つまり内障子下レール５ｃ、外障子１０を保持する部材、つまり外障子下レール５ｄ、室外側内向片５ｅを備えたアルミ押出形材である。
前記縦枠６は室内外側方向に向う枠本体６ａと、この枠本体６ａに一体的に設けた室内側内向片６ｂ、障子を保持する部材、つまり中間内向片６ｃ、室外側内向片６ｄを備えたアルミ押出形材である。
【００１８】
前記金属引き違い窓を断熱持ち出し引き違い窓に改装する方法を説明する。
前記内障子９、外障子１０を取り外し、前記上枠４、下枠５、縦枠６を、室内側部と室外側部とに熱が伝わり難く加工する。具体的には、各枠の枠本体４ａ，５ａ，６ａにおける室内外側方向中間で長手方向に間隔を置いた複数部分に穴１１をそれぞれ加工する。この穴１１は室内外側方向に短かく、長手方向に長いスリット状の穴である。
このスリット状の穴１１はグラインダーやセーバーソー、プラズマ切断機等で加工する。
すなわち、前述の改修作業は室内に人が居住している状態で実施されることが多く、火炎や火花が発生しない加工方法で加工することが好ましい。
【００１９】
これにより、上枠４、下枠５、縦枠６の室内側部と室外側部の連続する面積が減少し、残存した既存の金属サッシ枠３の室外側部と室内側部とに亘って熱が伝わり難くなる。
【００２０】
前記スリット状の穴１１は断熱材１１ａで閉塞されている。例えばウレタン系樹脂などの断熱材を注入充填したり、樹脂、ゴムなどの断熱材の成形品を嵌め込んでスリット状の穴１１を閉塞する。
これにより、各枠の強度低下を補償すると共に、穴１１を閉塞して見栄えを良くするようにしても良い。
【００２１】
前述のスリット状の穴１１を枠本体７の室内外側方向中間部に長手方向に連続して形成（つまり、切断）することで、その室内側部と室外側部に熱が伝わらないようにしても良い。
【００２２】
図３、図４に示すように、各枠の枠本体４ａ，５ａ，６ａに下地材１２をそれぞれ取付けて穴１１を形成した各枠を補強する。
この下地材１２は金属、例えばアルミ押出形材の室内側部材１３とアルミ押出形材の室外側部材１４を断熱材１５で連結した断熱形材である。
前記下地材１２は各枠と略同一長さの長尺であるが、短尺の下地材１２を各枠の長手方向に間隔を置いて複数取付けても良い。
前記上枠４、下枠６における下地材１２は、その室内側部材１３が枠本体４ａ，６ａのスリット状の穴１１よりも室内寄りの室内側部、例えば室内側内向片４ｂ，６ｂにビス１６で取付けられる。
前記上枠４、縦枠６における下地材１２の室外側部材１４が枠本体４ａ，６ａのスリット状の穴１１よりも室外寄りの室外側部、例えば室内側内向片４ｅ，６ｄに当接して取付けられる。
これによって、上枠４、縦枠６を補強すると共に、その室内側部と室外側部に下地材１２を通して熱が伝わらないようにする。
【００２３】
前記下枠５における下地材１２は、その室内側部材１３が下枠５の穴１１よりも室内寄りの室内側部、例えば室内側内向片５ｂにビス１６で取付けられる。
この下地材１２の室外側部材１４は支持材１７にビス１８で取付けられる。
前記支持材１７は下枠５の穴１１よりも室外寄りの室外側部、例えば室外側内向片５ｅにビス１９で取付けられる。
これによって、下枠５を補強すると共に、その室内側部と室外側部に下地材１２を通して熱が伝わらないようにする。
【００２４】
前記支持材１７は下枠５の室外側部に引掛けて下向きの力で外れないようにしてある。例えば、下向鉤片１７ａを下枠５の室外側内向片５ｅの上部に引掛けてある。
これによって、下地材１２の室外側部材１４に作用する大きな下向き荷重を支持する。
【００２５】
次に、下地材１２に新設の断熱サッシ窓、例えば断熱引き違いサッシ窓の断熱サッシ枠２０を取付ける。
前記新設の断熱サッシ枠２０は、室外側窓部と室内側カバー部を備え、その室外側窓部は室外側部と室内側とに熱が伝わり難い断熱窓部である。
具体的には、上枠２１、下枠２２、左右の縦枠２３を枠組みしたものである。
前記各枠は、障子が装着される室外側窓部材２４と、既存の金属サッシ枠３、下地材１２を覆う室内側カバー部材２５を備え、枠組みすることで四周の室外側窓部材２４により室外側窓部を形成し、四周の室内側カバー部材２５で室内側カバー部を形成する。
【００２６】
前記各室外側窓部材２４は、アルミ押出形材等の金属の室外側部材２６とアルミ押出形材等の金属の室内側部材２７を断熱材２８で連結した断熱形材である。その室外側部材２６は、室内外側方向に向う本体部２６ａと、この本体部２６ａに一体的に設けた障子保持部２６ｂ、例えば内障子上下レール、外障子上下レール、内向片を有する。
前記室内側部材２７は縦板状で、この室内側部材２７と室外側部材２６が断熱材２８で連結される。
【００２７】
前記各室内側カバー部材２５は、室外側窓部材２４の室内側部材２７の面内方向内側部と一体的に連続した室内外側方向に向う板状で、取付用の凹部２５ａを有する。
前記上枠２１、縦枠２３における各室内側カバー部材２５（凹部２５ａの底部）が各下地材１２の室内側部材１３にスペーサ２９を介してビス３０でそれぞれ取付けられる。
前記下枠２２における室内側カバー部材２５（凹部２５ａの底部）が下の下地材１２の室内側部材１３にビス３０で直接取付けられる。
【００２８】
前記上枠２１、縦枠２３における室外側窓部材２４の室内側部材２７は、残存した既存の上枠４、縦枠６の室外側部（室外側内向片４ｅ，６ｄ）よりも室外寄りに位置し、その室内側部材２７は金属サッシ枠３の上枠４、縦枠６における穴１１よりも室外寄り（室外側部）と金属接触しないようにしてある。
よって、残存している既存の金属サッシ枠３の上枠４、縦枠６の室外側部から、新設の断熱サッシ枠２０の上枠２１、縦枠２３における室内側部材２７に熱が伝わらない。
【００２９】
前記下枠２２における室外側窓部材２４の室内側部材２７は下の下地材１２の室外側部材１４よりも室外寄りで、その下面は、下の下地材１２の室外側部材１４に線接触で載置している。例えば、室外側部材１４の上向片１４ａ載置している。
よって、金属サッシ枠３の下枠５の室外側部から下地材１２の室外側部材１４を経て下枠２２の室外側窓部材２４における室内側部材２７に熱が伝わり難い。
また、室内側部材２７に作用する下向き荷重を下地材１２の室外側部材１４、支持材１７を介して下枠５の室外側部で支持できる。
【００３０】
前記各室外側窓部は金属サッシ枠３よりも室外側に位置し、持ち出しタイプの断熱サッシ窓を形成する。
前記下枠２２の室外側窓部材２４の室外側部材２６における室内側部下面は、前記支持材１７に線接触で載置している。例えば、支持材１７の上向突片１７ｂに載置している。
よって、下枠２２の室外側窓部材２４に作用する障子重量などの下向き荷重を支持材１７を介して下枠５の室外側部で支持できると共に、この室外側窓部材２４の室外側部材２６から支持材１７を介して下枠５の室外側部に熱が伝わり難い。
【００３１】
前記各室内側カバー部材２５の室内側部に内部カバー３１を取付け、金属サッシ枠３の室内側部及び下地材１２が室内から見えないようにする。この内部カバー３１は室内側カバー部材２５と一体でも良い。
前記内部カバー３１は断熱性を有し表面（室内に露出する面）に熱が伝わり難くすることが好ましい。
例えば、アルミ押出形材のカバーの表面に樹脂カバーを嵌め込んで取付ける。アルミ押出形材のカバーの裏面にウレタン等の断熱樹脂を吹きつけ、又は裏面に成形した断熱材を設ける。木材、合成木で内部カバーを作製する。
【００３２】
図５に示すように、下の下地材１２を金属サッシ枠３の下枠５における障子保持部材に取付け、穴１１を障子保持部材よりも室内寄りに形成しても良い。
例えば、内障子下レール５ｃに係止すると共に、外障子下レール５ｄに室外側からビス４０で取付ける。この場合には室内側カバー部材２５を下枠３の室内側内向片５ｂにビス３０で取付ける。
【００３３】
また、図３、図５において下枠２２の室外側窓部材２４を、下の下地材１２の室外側部に断熱材を介して載置することで、熱が伝わらないようにしても良い。
例えば、図６に示すように、下の下地材１２の室外側部材１４の室外側横向片１４ｂに断熱材４１を設け、この断熱材４１に室外側部材２６の室内側部下面と室内側部材２７の下面を載置する。
【００３４】
また、図６に示すように下の下地材１２の室外側部材１４の上部に突片１４ｃを一体的に設け、この突片１４ｃを下枠２２の室内側部材２７の室内側面に接して支持するようにしても良い。
【００３５】
【発明の効果】
請求項１に係る発明によれば、既存の金属サッシ枠を基準として断熱サッシ枠を取付けることで、断熱改装持ち出し窓とすることができる。
また、既存の金属サッシ枠を通して室外の冷気が断熱サッシ枠の室内側部分（室内側カバー部材）に伝わり難く、その断熱サッシ枠の室内側部分に結露が生じない。
【００３６】
また、穴加工することで既存の金属サッシ枠を、その室内側部と室外側部とに熱が伝わり難くできる。
【００３７】
請求項２に係る発明によれば、既存の金属サッシ枠の穴加工による強度低下を補償できる。
【００３８】
請求項３に係る発明によれば、既存の金属サッシ枠を下地材で補強しているから、新設の断熱サッシ枠が強固に取付けできる。
【図面の簡単な説明】
【図１】金属引き違いサッシ窓の縦断面図である。
【図２】金属引き違いサッシ窓の横断面図である。
【図３】改装した断熱持ち出し引き違いサッシ窓の縦断面図である。
【図４】改装した断熱持ち出し引き違いサッシ窓の横断面図である。
【図５】下枠部分の第２の実施の形態の縦断面図である。
【図６】下枠部分の第３の実施の形態の縦断面図である。
【符号の説明】
１…建物躯体
２…開口部
３…金属サッシ枠
４…上枠
５…下枠
６…縦枠
１１…穴
１１ａ…断熱材
１２…下地材
１３…室内側部材
１４…室外側部材
１５…断熱材
１７…支持材
２０…断熱サッシ枠
２１…上枠
２２…下枠
２３…縦枠
２４…室外側窓部材
２５…室内側カバー部材
２６…室外側部材
２７…室内側部材
２８…断熱材
【図１】
0003622083.tif 000002
【図２】
0003622083.tif 000003
【図３】
0003622083.tif 000004
【図４】
0003622083.tif 000005
【図５】
0003622083.tif 000006
【図６】
0003622083.tif 000007